(57)【要約】      （修正有）【課題】１つの感光体に対して複数の光源を設けることなく前記感光体の２箇所に除電光を照射する機能を有する画像形成装置を提供する。【解決手段】画像形成装置は、感光体４１、転写装置、光源４６１および分岐導光器４６３，４６５，４６７を備える。前記感光体４１は、既定回転方向Ｒ０へ回転しつつ外周面にトナー像を担持する。前記転写装置は、前記感光体４１上の前記トナー像を予め定められた転写位置において被転写材へ転写する。前記分岐導光器４６３，４６５，４６７は、前記光源４６１から出射される除電光を、前記感光体４１の外周面における前記転写位置に対し前記既定回転方向Ｒ０の上流側および下流側にそれぞれ位置する転写前領域４１ｂおよび転写後領域４１ａへ導く。【選択図】図３
2019159002.tif 000002
【特許請求の範囲】
【請求項１】
既定回転方向へ回転しつつ外周面にトナー像を担持する感光体と、
前記感光体上の前記トナー像を予め定められた転写位置において被転写材へ転写する転写装置と、
光源と、
前記光源から出射される除電光を、前記感光体の外周面における前記転写位置に対し前記既定回転方向の上流側および下流側にそれぞれ位置する転写前領域および転写後領域へ導く分岐導光器と、を備える画像形成装置。
【請求項２】
回転する無端の前記被転写材である中間転写ベルトと、
それぞれ異なる色のトナーに対応する前記感光体を含み、前記中間転写ベルトにおける既定移動方向へ移動する部分に沿って配列された４つの作像装置と、を備え、
前記４つの作像装置のうちの前記既定移動方向の最上流に位置する１つが、前記光源および前記分岐導光器を備え、
前記分岐導光器は、
前記感光体に対し前記既定回転方向の下流側に配置され、前記感光体の軸方向に沿う棒状であり、前記除電光が入射する基部および前記転写後領域に対向する下流対向部を有する透明な下流導光部材と、
前記基部の側面に対向する基端から前記感光体における前記既定回転方向の上流側の位置へ向かって延びて形成された透明な中継導光部材と、
前記感光体に対し前記既定回転方向の上流側における前記中継導光部材の延長線上の位置に配置され、前記軸方向に沿う棒状の透明な上流導光部材と、備え、
前記下流導光部材の前記基部は、前記軸方向に沿って内部を進行する前記除電光の一部を前記中継導光部材の前記基端へ向けて反射する分岐反射部を有し、
前記下流導光部材の前記下流対向部は、前記軸方向に沿って内部を進行する前記除電光の一部を前記転写後領域へ向かう方向へ反射するとともに前記除電光の他の一部を前記既定移動方向の下流側へ透過させる光分配部を有し、
前記上流導光部材は、前記軸方向に沿って内部を進行する前記除電光を前記転写前領域へ向けて反射する上流反射部を有し、
前記４つの作像装置のうちの他の３つそれぞれが、前記光源と前記下流導光部材と前記分岐反射部に対し前記基部を介して対向するミラーとを備える、請求項１に記載の画像形成装置。
【請求項３】
前記４つの作像装置のうちの前記既定移動方向の最上流に位置しない３つにおいて、前記下流導光部材が、前記軸方向の周りに回転可能に支持されている、請求項２に記載の画像形成装置。
【請求項４】
前記分岐導光器は、
前記感光体に対し前記既定回転方向の下流側に配置され、前記感光体の軸方向に沿う棒状であり、前記除電光が入射する基部および前記転写後領域に対向する下流対向部を有する透明な下流導光部材と、
前記基部の側面に対向する基端から前記感光体における前記既定回転方向の上流側の位置へ向かって延びて形成された透明な中継導光部材と、
前記感光体に対し前記既定回転方向の上流側における前記中継導光部材の延長線上の位置に配置され、前記軸方向に沿う棒状の透明な上流導光部材と、備え、
前記下流導光部材の前記基部は、前記軸方向に沿って内部を進行する前記除電光の一部を前記中継導光部材の前記基端へ向けて反射する分岐反射部を有し、
前記下流導光部材の前記下流対向部は、前記軸方向に沿って内部を進行する前記除電光を前記転写後領域へ向けて反射する下流反射部を有し、
前記上流導光部材は、前記軸方向に沿って内部を進行する前記除電光を前記転写前領域へ向けて反射する上流反射部を有する、請求項１に記載の画像形成装置。
【請求項５】
前記中継導光部材および前記上流導光部材が、１つの部材で形成されている、請求項２から請求項４のいずれか１項に記載の画像形成装置。
【請求項６】
前記分岐導光器は、
前記除電光が入射する幹部と前記幹部から前記感光体における前記既定回転方向の下流側へ分岐し前記除電光の一部が伝搬する下流枝部と前記幹部から前記感光体における前記既定回転方向の上流側へ分岐し前記除電光の他の一部が伝搬する上流枝部とを有する透明な光分岐部材と、
前記感光体に対し前記既定回転方向の下流側における前記下流枝部の延長線上の位置に配置され、前記感光体の軸方向に沿う棒状の透明な下流導光部材と、
前記感光体に対し前記既定回転方向の上流側における前記上流枝部の延長線上の位置に配置され、前記軸方向に沿う棒状の透明な上流導光部材と、を備え、
前記下流導光部材は、前記軸方向に沿って内部を進行する前記除電光を前記転写後領域へ向けて反射する下流反射部を有し、
前記上流導光部材は、前記軸方向に沿って内部を進行する前記除電光を前記転写前領域へ向けて反射する上流反射部を有する、請求項１に記載の画像形成装置。
【発明の詳細な説明】
【技術分野】
【０００１】
本発明は、感光体の２箇所に除電光を照射する機能を有する画像形成装置に関する。
【背景技術】
【０００２】
電子写真方式の画像形成装置は、回転しつつトナー像を担持する感光体の表面を光の照射によって除電する除電部を備える。以下の説明において、前記感光体の表面を除電する光のことを除電光と称する。
【０００３】
前記除電部は、前記感光体の軸方向に沿う長尺の導光部材と、前記導光部材の一端に前記除電光を出射する光源とを備える場合がある。前記導光部材は、前記感光体の表面へ向かう方向へ前記除電光を反射する反射部を有する。例えば、前記反射部は、前記軸方向に並ぶ複数の凹部からなる。
【０００４】
また、タンデム式画像形成装置において、前記導光部材に形成された２つの前記反射部が、中間転写ベルトの下面の進行方向において隣り合う２つの前記感光体の表面に向けて前記除電光を反射する場合がある（例えば、特許文献１参照）。
【０００５】
上記の場合、４つの前記感光体のうち、前記中間転写ベルトの下面の進行方向の最上流に位置するもの以外の３つは、前記トナー像の転写前の領域と前記トナー像の転写後の領域との２箇所において前記除電光の照射を受ける。
【先行技術文献】
【特許文献】
【０００６】
【特許文献１】特開２０１３−１１３９０１号公報
【発明の概要】
【発明が解決しようとする課題】
【０００７】
ところで、前記タンデム式画像形成装置において、前記除電光が、４つの前記感光体の全てにおいて前記転写前の領域および前記転写後の領域の２箇所に照射されることが望ましい。
【０００８】
また、モノクロの画像形成装置においても、前記除電光が、前記感光体における前記転写前の領域および前記転写後の領域の２箇所に照射されることが望ましい。
【０００９】
一方、前記感光体の２箇所に前記除電光を照射するために前記感光体ごとに２つの前記光源を設けることは好ましくない。
【００１０】
本発明の目的は、１つの感光体に対して複数の光源を設けることなく前記感光体の２箇所に除電光を照射できる画像形成装置を提供することにある。
【課題を解決するための手段】
【００１１】
本発明の一の局面に係る画像形成装置は、感光体と、転写装置と、光源と、分岐導光器と、を備える。前記感光体は、既定回転方向へ回転しつつ外周面にトナー像を担持する。前記転写装置は、前記感光体上の前記トナー像を予め定められた転写位置において被転写材へ転写する。前記分岐導光器は、前記光源から出射される除電光を、前記感光体の外周面における前記転写位置に対し前記既定回転方向の上流側および下流側にそれぞれ位置する転写前領域および転写後領域へ導く。
【発明の効果】
【００１２】
本発明によれば、１つの感光体に対して複数の光源を設けることなく前記感光体の２箇所に除電光を照射できる画像形成装置を提供することが可能になる。
【図面の簡単な説明】
【００１３】
【図１】図１は、実施形態に係る画像形成装置の構成図である。
【図２】図２は、実施形態に係る画像形成装置における作像部の構成図である。
【図３】図３は、実施形態に係る画像形成装置における除電装置の構成図である。
【図４】図４は、実施形態に係る画像形成装置の除電装置における下流導光部材の平面図である。
【図５】図５は、実施形態に係る画像形成装置における導光部材の反射部の一部の断面図である。
【図６】図６は、実施形態に係る画像形成装置の除電装置における下流導光部材の基部と中継導光部材との接続部分の図である。
【図７】図７は、実施形態に係る画像形成装置の除電装置における下流導光部材の対向部の断面図である。
【図８】図８は、実施形態に係る画像形成装置の除電装置における上流導光部材の断面図である。
【図９】図９は、実施形態に係る画像形成装置の除電装置における下流導光部材の支持機構の斜視図である。
【図１０】図１０は、第１応用例に係る除電装置の構成図である。
【図１１】図１１は、第２応用例に係る除電装置の構成図である。
【図１２】図１２は、第３応用例に係る除電装置における下流導光部材の対向部の断面図である。
【発明を実施するための形態】
【００１４】
以下、図面を参照しながら、本発明の実施形態について説明する。なお、以下の実施形態は、本発明を具体化した一例であって、本発明の技術的範囲を限定するものではない。
【００１５】
［画像形成装置１０の構成］
実施形態に係る画像形成装置１０は、シートに画像を形成する印刷処理を実行する装置である。前記シートは、紙または封筒などのシート状の画像形成媒体である。
【００１６】
図１に示されるように、画像形成装置１０は、本体１内にシート供給機構２、シート搬送機構３、画像形成部４０および制御装置８などを備える。
【００１７】
画像形成部４０は、電子写真方式で前記印刷処理を実行する装置である。そのため、画像形成部４０は、作像装置４、光走査装置４７、転写装置４４および定着装置４８を含む。
【００１８】
作像装置４は、感光体４１、帯電装置４２、現像装置４３、感光体クリーニング装置４５および除電装置４６などを備える。
【００１９】
図１に示される画像形成装置１０は、タンデム式の画像形成部４０を有するカラー画像形成装置である。そのため、画像形成装置１０は、シアン、マゼンタ、イエローおよびブラックの４色のトナーに対応した４つの作像装置４を備える。即ち、４つの作像装置４は、それぞれ異なる色のトナーに対応する感光体４１および現像装置４３を含む。
【００２０】
さらに、転写装置４４が、無端の中間転写ベルト４４ａと、４つの作像装置４に対応する４つの一次転写装置４４ｂと、二次転写装置４４ｃと、ベルトクリーニング装置４４ｄとを備える。
【００２１】
中間転写ベルト４４ａおよび作像装置４各々におけるドラム状の感光体４１が、不図示の駆動機構によって回転駆動される。４つの作像装置４は、中間転写ベルト４４ａにおける既定移動方向へ移動する部分に沿って配列されている。本実施形態において、４つの作像装置４は、中間転写ベルト４４ａの下面の部分に沿って配列されている。
【００２２】
以下、中間転写ベルト４４ａにおける４つの作像装置４が沿う部分の前記既定移動方向のことを第１方向Ｄ１と称する。また、感光体４１の軸方向のことを第２方向Ｄ２と称する（図２参照）。第２方向Ｄ２は、感光体４１の長手方向でもある。
【００２３】
第２方向Ｄ２は、いわゆる主走査方向であり、第１方向Ｄ１は、いわゆる副走査方向である。第２方向Ｄ２は、第１方向Ｄ１に直交する方向である。
【００２４】
シート供給機構２は、前記シートを搬送路３０へ送り出す。シート搬送機構３は、前記シートを搬送路３０に沿って搬送する。
【００２５】
帯電装置４２は、既定方向へ回転する感光体４１の表面を一様に帯電させる。光走査装置４７は、感光体４１の表面に静電潜像を書き込む。以下の説明において、感光体４１の前記既定回転方向のことをドラム回転方向Ｒ０と称する（図２参照）。
【００２６】
現像装置４３は、感光体４１の表面の前記静電潜像をトナー像へ現像する。これにより、感光体４１は、ドラム回転方向Ｒ０へ回転しつつ外周面に前記トナー像を担持する。
【００２７】
図２に示されるように、一次転写装置４４ｂは、感光体４１上の前記トナー像を予め定められた転写位置Ｐ０において中間転写ベルト４４ａに転写する。これにより、４色の前記トナー像が、カラー画像として中間転写ベルト４４ａに重なって形成される。
【００２８】
制御装置８は、４つの作像装置４の全てを動作させることにより、画像形成部４０にカラー印刷処理を実行させる。一方、制御装置８は、第１方向Ｄ１の最下流に位置する１つの作像装置４のみを動作させることにより、画像形成部４０にモノクロ印刷処理を実行させる。
【００２９】
即ち、第１方向Ｄ１の最下流に位置する１つの作像装置４は、ブラックの前記トナー像を感光体４１上に形成する。
【００３０】
感光体クリーニング装置４５は、感光体４１表面に残存するトナーを除去する。なお、タンデム式の画像形成部４０において、中間転写ベルト４４ａが、感光体４１から前記トナー像が転写される被転写材である。
【００３１】
二次転写装置４４ｃは、中間転写ベルト４４ａ上の前記トナー像を、搬送路３０に沿って搬送されている前記シートに転写する。定着装置４８は、前記シートに転写された前記トナー像を加熱することにより、前記シートに前記トナー像を定着させる。ベルトクリーニング装置４４ｄは、中間転写ベルト４４ａに残存するトナーを除去する。
【００３２】
制御装置８は、画像形成装置１０における電気機器を制御する。例えば、制御装置８は、それぞれ不図示のＣＰＵ（Central Processing Unit）などのプロセッサーと、ＲＡＭ（Random Access Memory）などの主記憶装置と、フラッシュメモリーなどの二次記憶装置とを備える。
【００３３】
前記プロセッサーは、予め前記二次記憶装置に記憶されたプログラムを実行することによって各種のデータ処理および前記電気機器の制御を実行する。その際、前記プロセッサーは、実行中の前記プログラムおよび処理中のデータを前記ＲＡＭに一時記憶させる。
【００３４】
前記プロセッサーは、各種のセンサーおよびスイッチの信号を入力し、制御対象の機器へ制御信号を出力する。
【００３５】
除電装置４６は、除電光を感光体４１の外周面に照射することにより、感光体４１の外周面を除電する。図２に示されるように、除電装置４６は、感光体４１の外周面における転写前領域４１ｂと転写後領域４１ａとの２箇所に前記除電光を照射する。
【００３６】
図３に示されるように、除電装置４６各々は、前記除電光を出射する１つの光源４６１を備える。従って、画像形成装置１０は、４つの感光体４１に対応する４つの光源４６１を備える。光源４６１は、例えばＬＥＤ（Light Emitting Diode）である。
【００３７】
転写前領域４１ｂは、感光体４１の外周面における転写位置Ｐ０に対しドラム回転方向Ｒ０の上流側に位置する領域である。転写前領域４１ｂは、感光体４１の外周面における現像装置４３に対向する位置と転写位置Ｐ０との間の領域である。
【００３８】
転写後領域４１ａは、感光体４１の外周面における転写位置Ｐ０に対しドラム回転方向Ｒ０の下流側の領域である。転写後領域４１ａは、感光体４１の外周面における転写位置Ｐ０と感光体クリーニング装置４５に対向する位置との間の領域である。
【００３９】
ところで、タンデム式の画像形成装置１０において、前記除電光が、４つの感光体４１の全てにおいて転写前領域４１ｂおよび転写後領域４１ａの２箇所に照射されることが望ましい。
【００４０】
また、モノクロの画像形成装置においても、前記除電光が、感光体４１における転写前領域４１ｂおよび転写後領域４１ａの２箇所に照射されることが望ましい。
【００４１】
一方、感光体４１の２箇所に前記除電光を照射するために感光体４１ごとに２つの光源４６１を設けることは好ましくない。
【００４２】
画像形成装置１０において、４つの除電装置４６は、１つの感光体４１に対して複数の光源４６１を設けることなく感光体４１の２箇所に前記除電光を照射できる。
【００４３】
［除電装置４６］
本実施形態において、４つの除電装置４６は、１つの第１除電装置４６ａと、３つの第２除電装置４６ｂとを含む。第１除電装置４６ａは、第２除電装置４６ｂと構成が異なる。
【００４４】
第１除電装置４６ａは、４つの作像装置４のうちの第１方向Ｄ１の最上流に位置する１つに含まれる。第２除電装置４６ｂは、その他の３つの作像装置４各々に含まれる。
【００４５】
［第１除電装置４６ａ］
図３に示されるように、第１除電装置４６ａは、１つの光源４６１と、下流導光部材４６３と、第１ミラー４６２と、第２ミラー４６４と、中継導光部材４６５と、第３ミラー４６６と、上流導光部材４６７と、第４ミラー４６８とを備える。
【００４６】
下流導光部材４６３、中継導光部材４６５および上流導光部材４６７は、対応する作像装置４における感光体クリーニング装置４５を含むユニットのハウジング４５０によって支持されている。
【００４７】
本実施形態において、作像装置４ごとに感光体４１、帯電装置４２および感光体クリーニング装置４５が１つのドラムユニットを構成している。下流導光部材４６３、中継導光部材４６５および上流導光部材４６７は、前記ドラムユニットにおける帯電装置４２および感光体クリーニング装置４５を内包するハウジング４５０によって支持されている。
【００４８】
図３に示される例では、４つの除電装置４６における４つの光源４６１が１つの電子基板４６１０に実装されている。しかしながら、４つの光源４６１が、それぞれ個別の電子基板４６１０に実装されることも考えられる。
【００４９】
また、第１除電装置４６ａの光源４６１が１つの電子基板４６１０に実装され、３つの第２除電装置４６ｂにおける３つの光源４６１が他の１つの電子基板４６１０に実装されることも考えられる。
【００５０】
下流導光部材４６３、中継導光部材４６５および上流導光部材４６７は、透明な部材である。例えば、下流導光部材４６３、中継導光部材４６５および上流導光部材４６７は、透明な合成樹脂の部材である。
【００５１】
下流導光部材４６３は、第２方向Ｄ２に沿う棒状の部材である。下流導光部材４６３は、感光体４１に対しドラム回転方向Ｒ０の下流側に配置されている。換言すれば、下流導光部材４６３は、感光体４１に対し第１方向Ｄ１の下流側に配置されている。
【００５２】
図４に示されるように、下流導光部材４６３は、光源４６１から前記除電光が入射する基部４６３ｘおよび転写後領域４１ａに対向する下流対向部４６３ｙを有する。本実施形態において、光源４６１から出射された前記除電光が、基部４６３ｘの端面に入射する。
【００５３】
第２ミラー４６４は、下流導光部材４６３における光源４６１に対し反対の端面に対向して配置されている。例えば、第２ミラー４６４がシート状のミラーであることが考えられる。この場合、第２ミラー４６４は、下流導光部材４６３における光源４６１に対し反対の端面に貼り付けられている。
【００５４】
基部４６３ｘに入射した前記除電光は、第２方向Ｄ２に沿って基部４６３ｘを通過し、下流対向部４６３ｙ内を第２方向Ｄ２に沿って進行する。第２ミラー４６４は、前記除電光が下流導光部材４６３における光源４６１に対し反対の端面から漏れることを防ぐ。
【００５５】
第２ミラー４６４の作用により、前記除電光は、下流導光部材４６３内を第２方向Ｄ２に沿って光源４６１側の第１端から反対側の第２端へ向かう方向へ進行するとともに、さらにその反対方向へも進行する。
【００５６】
下流導光部材４６３の基部４６３ｘは、分岐反射部４６３ａを有する。分岐反射部４６３ａは、第２方向Ｄ２に沿って基部４６３ｘの内部を進行する前記除電光の一部を中継導光部材４６５の基端４６５ａへ向けて反射する。
【００５７】
分岐反射部４６３ａは、基部４６３ｘの側面における感光体４１に対し反対側の部分に形成されている。
【００５８】
図５に示されるように、分岐反射部４６３ａは、第２方向Ｄ２において間隔を空けて並ぶ複数の凹部４６０が形成された部分である。凹部４６０各々は、第２方向Ｄ２に対して交差する方向に沿う溝である。
【００５９】
図５に示される例では、凹部４６０各々は、第２方向Ｄ２に対して直交する方向に沿う断面が三角形の溝である。第２方向Ｄ２に沿って進行する前記除電光は、複数の凹部４６０の界面で反射および透過する。さらに、複数の凹部４６０の界面で反射した前記除電光は、基部４６３ｘの外周面における分岐反射部４６３ａが形成された部分の反対側へ向かう。
【００６０】
従って、図６に示されるように、分岐反射部４６３ａで反射した前記除電光は、基部４６３ｘの外周面における分岐反射部４６３ａが形成された部分の反対側の部分から放射される。これにより、基部４６３ｘに入射した前記除電光は、第２方向Ｄ２に沿って下流対向部４６３ｙへ向かう光と、基部４６３ｘにおける分岐反射部４６３ａの反対側の部分から放射される光とに分岐する。
【００６１】
なお、第２方向Ｄ２に沿って進行する前記除電光の他の一部は、複数の凹部４６０の界面を透過する。複数の凹部４６０の内面の角度および複数の凹部４６０の深さに応じて、複数の凹部４６０の界面において反射する前記除電光と透過する前記除電光との割合が変わる。分岐反射部４６３ａにおける複数の凹部４６０の形状は、分岐反射部４６３ａを透過する前記除電光の割合がより小さくなるように設計される。
【００６２】
本実施形態において、第１ミラー４６２が、基部４６３ｘにおける分岐反射部４６３ａの外側に配置されている。第１ミラー４６２は、分岐反射部４６３ａを透過した前記除電光を基部４６３ｘ内へ反射する。
【００６３】
例えば、第１ミラー４６２が、シート状のミラーであることが考えられる。この場合、第１ミラー４６２は、基部４６３ｘにおける分岐反射部４６３ａの外側の面に貼り付けられている。
【００６４】
以下の説明において、基部４６３ｘの外周面における分岐反射部４６３ａが形成された部分の反対側の部分のことを分岐面４６３ｃと称する。基部４６３ｘは、前記除電光を第２方向Ｄ２に沿って進行する光と基部４６３ｘの分岐面４６３ｃから放射される光とに分岐させる。
【００６５】
基部４６３ｘの分岐面４６３ｃは、中継導光部材４６５の基端４６５ａに対向している。そのため、分岐反射部４６３ａで反射した前記除電光は、中継導光部材４６５の基端４６５ａの面に入射する。
【００６６】
下流導光部材４６３の下流対向部４６３ｙは、光分配部４６３ｂを有する。光分配部４６３ｂは、第２方向Ｄ２に沿って下流対向部４６３ｙの内部を進行する前記除電光の一部を感光体４１の転写後領域４１ａへ向かう方向へ反射するとともに前記除電光の他の一部を第１方向Ｄ１の下流側へ透過させる。
【００６７】
光分配部４６３ｂも、分岐反射部４６３ａと同様に、第２方向Ｄ２において間隔を空けて並ぶ複数の凹部４６０が形成された部分である（図５参照）。例えば、光分配部４６３ｂを透過する前記除電光の割合が、分岐反射部４６３ａを透過する前記除電光の割合よりも大きいことが考えられる。前記除電光が光分配部４６３ｂを所望の量だけ透過するように、光分配部４６３ｂにおける複数の凹部４６０の形状が設計される。
【００６８】
図７に示されるように、光分配部４６３ｂは、下流対向部４６３ｙの外周面における第１方向Ｄ１の下流側の範囲に形成されている。
【００６９】
図７に示されるように、光分配部４６３ｂで反射した前記除電光は、下流対向部４６３ｙの外周面における光分配部４６３ｂの反対側の上流側湾曲面４６３ｇから放射される。
【００７０】
上流側湾曲面４６３ｇから放射された前記除電光は、図２，３に示されるように、対応する感光体４１の転写後領域４１ａに照射される。即ち、光分配部４６３ｂが第１方向Ｄ１の上流側へ反射した前記除電光は、対応する感光体４１の転写後領域４１ａに照射される。
【００７１】
一方、光分配部４６３ｂを透過した前記除電光は、図２，３に示されるように、第１方向Ｄ１の下流側の隣の感光体４１の転写前領域４１ｂに照射される。即ち、光分配部４６３ｂが第１方向Ｄ１の下流側へ透過させた前記除電光は、隣の感光体４１の転写前領域４１ｂに照射される。
【００７２】
即ち、光分配部４６３ｂは、第２方向Ｄ２に沿って下流対向部４６３ｙの内部を進行する前記除電光を第１方向Ｄ１の上流側へ向かう方向と第１方向Ｄ１の下流側へ向かう方向とへ分配する。
【００７３】
以上に示されるように、下流導光部材４６３は、光源４６１から出射された前記除電光を第２方向Ｄ２に沿って導く。さらに、下流導光部材４６３は、第１方向Ｄ１の上流側に位置する感光体４１における第２方向Ｄ２全体に亘る転写後領域４１ａと、第１方向Ｄ１の下流側に位置する感光体４１における第２方向Ｄ２全体に亘る転写前領域４１ｂとに前記除電光を照射する。
【００７４】
中継導光部材４６５は、下流導光部材４６３の基部４６３ｘの側面に対向する基端４６５ａから感光体４１におけるドラム回転方向Ｒ０の上流側の位置へ向かって延びて形成された部材である。
【００７５】
中継導光部材４６５において、基端４６５ａから中間のコーナー部４６５ｃまでの部分は第１方向Ｄ１に沿って形成されており、コーナー部４６５ｃから末端４６５ｂまでの部分は、第２方向Ｄ２に沿って形成されている。
【００７６】
図６に示されるように、中継導光部材４６５の基端４６５ａの面は、基部４６３ｘの分岐面４６３ｃと面接触している。これにより、基部４６３ｘの分岐反射部４６３ａで反射した前記除電光が、効率的に基部４６３ｘから中継導光部材４６５へ進行する。
【００７７】
図６に示される例では、分岐面４６３ｃは、凸状の湾曲面であり、中継導光部材４６５の基端４６５ａの面は、分岐面４６３ｃに沿う凹状の湾曲面である。なお、分岐面４６３ｃおよび基端４６５ａの面が平面であることも考えられる。
【００７８】
第３ミラー４６６は、中継導光部材４６５におけるコーナー部４６５ｃの外側の面に対向して配置されている。第３ミラー４６６は、前記除電光がコーナー部４６５ｃから中継導光部材４６５の外へ漏れることを防ぐ。
【００７９】
例えば、第３ミラー４６６が、シート状のミラーであることが考えられる。この場合、第３ミラー４６６は、中継導光部材４６５におけるコーナー部４６５ｃの外側の面に貼り付けられている。
【００８０】
上流導光部材４６７は、第２方向Ｄ２に沿う棒状の部材である。上流導光部材４６７は、感光体４１に対しドラム回転方向Ｒ０の上流側における中継導光部材４６５の延長線上の位置に配置されている。
【００８１】
上流導光部材４６７の端面は、中継導光部材４６５の末端４６５ｂの面と面接触している。例えば、上流導光部材４６７の端面および中継導光部材４６５の末端４６５ｂの面は平面である。
【００８２】
第４ミラー４６８は、上流導光部材４６７における中継導光部材４６５に対し反対の端面に対向して配置されている。例えば、第４ミラー４６８がシート状のミラーであることが考えられる。この場合、第４ミラー４６８は、上流導光部材４６７における中継導光部材４６５に対し反対の端面に貼り付けられている。
【００８３】
中継導光部材４６５の末端４６５ｂから上流導光部材４６７に入射した前記除電光は、第２方向Ｄ２に沿って上流導光部材４６７内を第２方向Ｄ２に沿って進行する。第４ミラー４６８は、前記除電光が上流導光部材４６７における中継導光部材４６５に対し反対の端面から漏れることを防ぐ。
【００８４】
図３，８に示されるように、上流導光部材４６７は、第２方向Ｄ２に沿って内部を進行する前記除電光を転写前領域４１ｂへ向けて反射する上流反射部４６７ａを有する。
【００８５】
上流反射部４６７ａも、分岐反射部４６３ａと同様に、第２方向Ｄ２において間隔を空けて並ぶ複数の凹部４６０が形成された部分である（図５参照）。上流反射部４６７ａにおける複数の凹部４６０の形状は、上流反射部４６７ａを透過する前記除電光の割合がより小さくなるように設計される。
【００８６】
図８に示されるように、上流反射部４６７ａで反射した前記除電光は、上流導光部材４６７の外周面における上流反射部４６７ａの反対側の下流側湾曲面４６７ｂから放射される。
【００８７】
図２，３に示されるように、下流側湾曲面４６７ｂから放射された前記除電光は、対応する感光体４１の転写前領域４１ｂに照射される。即ち、上流反射部４６７ａが第１方向Ｄ１の下流側へ反射した前記除電光は、対応する感光体４１の転写前領域４１ｂに照射される。
【００８８】
上流導光部材４６７は、分岐反射部４６３ａによって分岐され後に中継導光部材４６５によって導かれた前記除電光を第２方向Ｄ２に沿って導く。さらに、上流導光部材４６７は、第１方向Ｄ１の下流側の隣に位置する感光体４１における第２方向Ｄ２全体に亘る転写前領域４１ｂに前記除電光を照射する。
【００８９】
第１除電装置４６ａにおける下流導光部材４６３、第２ミラー４６４、中継導光部材４６５、第３ミラー４６６、上流導光部材４６７および第４ミラー４６８は、分岐導光器の一例である。
【００９０】
前記分岐導光器は、光源４６１から出射される前記除電光を、感光体４１の外周面における転写位置Ｐ０に対しドラム回転方向Ｒ０の上流側および下流側にそれぞれ位置する転写前領域４１ｂおよび転写後領域４１ａへ導く光学部品群である。
【００９１】
［第２除電装置４６ｂ］
図３に示されるように、第２除電装置４６ｂ各々は、１つの光源４６１と、下流導光部材４６３と、第２ミラー４６４と、第５ミラー４６９とを備える。
【００９２】
即ち、第２除電装置４６ｂ各々の光源４６１、下流導光部材４６３および第２ミラー４６４は、第１除電装置４６ａの光源４６１、下流導光部材４６３および第２ミラー４６４と同じものである。
【００９３】
第５ミラー４６９は、下流導光部材４６３の分岐反射部４６３ａに対し基部４６３ｘを介して対向して配置されている。例えば、第５ミラー４６９がシート状のミラーであることが考えられる。この場合、第５ミラー４６９は、下流導光部材４６３の分岐面４６３ｃに貼り付けられている。
【００９４】
第５ミラー４６９は、分岐反射部４６３ａで反射した前記除電光が分岐面４６３ｃから下流導光部材４６３の外へ漏れることを防ぐ。
【００９５】
なお、不図示の第６ミラーが、下流導光部材４６３の分岐反射部４６３ａに外側から対向して配置されることも考えられる。前記第６ミラーは、第５ミラー４６９で反射した前記除電光が分岐反射部４６３ａから下流導光部材４６３の外へ漏れることを防ぐ。
【００９６】
第２除電装置４６ｂ各々において、下流導光部材４６３は、光源４６１から出射された前記除電光を第２方向Ｄ２に沿って導く。さらに、下流導光部材４６３は、対応する感光体４１における第２方向Ｄ２全体に亘る転写後領域４１ａと、第１方向Ｄ１の下流側の隣に位置する感光体４１における第２方向Ｄ２全体に亘る転写前領域４１ｂとに前記除電光を照射する。
【００９７】
但し、第１方向Ｄ１の最も下流側に位置する作像装置４が備える第２除電装置４６ｂにおいて、下流導光部材４６３に対し第１方向Ｄ１の下流側の隣に位置する感光体４１は存在しない。
【００９８】
画像形成装置１０において、第１除電装置４６ａの下流導光部材４６３と３つの第２除電装置４６ｂの下流導光部材４６３とは共通部品である。同様に、第１除電装置４６ａの光源４６１と３つの第２除電装置４６ｂの光源４６１とは共通部品である。
【００９９】
制御装置８は、前記カラー印刷処理が実行される場合、４つの光源４６１を全て点灯させる。一方、制御装置８は、前記モノクロ印刷処理が実行される場合、４つの光源４６１のうち第１方向Ｄ１の最下流に位置する第２除電装置４６ｂが備える１つの光源４６１のみを点灯させる。
【０１００】
従って、画像形成装置１０が、第１方向Ｄ１の最下流に位置する第２除電装置４６ｂが備える１つの光源４６１に電力を供給する第１給電ラインと、その他の３つの光源４６１に一括して電力を供給する第２給電ラインとを備えることが考えられる。
【０１０１】
同じ仕様の３つの光源４６１が、前記第２給電ラインによって電気的に直列に接続される場合、３つの光源４６１が出射する前記除電光の光量はほぼ同じである。
【０１０２】
一方、第１除電装置４６ａにおいて、前記除電光が下流導光部材４６３と上流導光部材４６７とに分岐されるが、３つの第２除電装置４６ｂにおいては、前記除電光は、第５ミラー４６９の作用により下流導光部材４６３内にのみ導かれる。
【０１０３】
従って、４つの光源４６１が出射する前記除電光の光量はほぼ同じである場合、第１除電装置４６ａの下流導光部材４６３から放射される前記除電光の光量と、３つの第２除電装置４６ｂの下流導光部材４６３から放射される前記除電光の光量とが異なる。
【０１０４】
そこで、３つの第２除電装置４６ｂにおいて、下流導光部材４６３が、第２方向Ｄ２の周りに回転可能に支持されていることが考えられる。
【０１０５】
例えば、図９に示されるように、３つの第２除電装置４６ｂ各々が、下流導光部材４６３を直接支持するとともに、ハウジング４５０に支持された支持部材４６００を備える。下流導光部材４６３は、支持部材４６００に形成された非円形の孔に嵌め入れられている。
【０１０６】
支持部材４６００は、ハウジング４５０によって第２方向Ｄ２の周りに回転可能に支持されている。そして、支持部材４６００は、回転方向における任意の角度でビスなどによってハウジング４５０に固定される。
【０１０７】
支持部材４６００が任意の向きで固定されることにより、支持部材４６００が、回転方向において任意の向きに保持される。これにより、下流導光部材４６３からの前記除電光の放射方向を任意に調整することができる。
【０１０８】
下流導光部材４６３からの前記除電光の放射方向を調整することにより、感光体４１に照射される前記除電光の光量を調整することができる。その結果、全ての感光体４１において、前記除電光の照射量が同等になるように調整することができる。
【０１０９】
本実施形態によれば、１つの感光体４１に対して複数の光源４６１を設けることなく感光体４１の転写前領域４１ｂと転写後領域４１ａの２箇所に前記除電光を照射することができる。
【０１１０】
［第１応用例］
次に、図１０を参照しつつ、画像形成装置１０に適用可能な第１応用例に係る除電装置４６Ｐについて説明する。
【０１１１】
本応用例において、４つの作像装置４が、それぞれ同じ除電装置４６Ｐを備える。なお、図１０において、図１〜９に示される構成要素と同じ構成要素は、同じ参照符号が付されている。
【０１１２】
除電装置４６Ｐは、前述の第１除電装置４６ａと同様に、１つの光源４６１と、下流導光部材４６３Ｐと、第２ミラー４６４と、中継導光部材４６５と、第３ミラー４６６と、上流導光部材４６７と、第４ミラー４６８とを備える。
【０１１３】
即ち、除電装置４６Ｐは、第１除電装置４６ａにおいて下流導光部材４６３が類似の下流導光部材４６３Ｐに置き換えられた構成を備える。下流導光部材４６３Ｐも、下流導光部材４６３Ｐと同様に透明な棒状の部材である。
【０１１４】
除電装置４６Ｐの下流導光部材４６３Ｐは、第１除電装置４６ａの下流導光部材４６３における光分配部４６３ｂが下流反射部４６３ｈに置き換えられた構成を備える。
【０１１５】
即ち、下流導光部材４６３Ｐは、基部４６３ｘおよび下流対向部４６３ｙを有する。また、基部４６３ｘは分岐反射部４６３ａを有し、下流対向部４６３ｙは下流反射部４６３ｈを有する。
【０１１６】
下流反射部４６３ｈは、第２方向Ｄ２に沿って下流対向部４６３ｙの内部を進行する前記除電光を感光体４１の転写後領域４１ａへ向かう方向へ反射する。
【０１１７】
下流反射部４６３ｈも、分岐反射部４６３ａと同様に、第２方向Ｄ２において間隔を空けて並ぶ複数の凹部４６０が形成された部分である（図５参照）。下流反射部４６３ｈにおける複数の凹部４６０の形状は、下流反射部４６３ｈを透過する前記除電光の割合がより小さくなるように設計される。
【０１１８】
本応用例において、下流導光部材４６３Ｐ、第２ミラー４６４、中継導光部材４６５、第３ミラー４６６、上流導光部材４６７および第４ミラー４６８は、前記分岐導光器の一例である。除電装置４６Ｐが採用される場合も、除電装置４６が採用される場合と同様の効果が得られる。
【０１１９】
[第２応用例]
次に、図１１を参照しつつ、画像形成装置１０に適用可能な第２応用例に係る除電装置４６Ｑについて説明する。除電装置４６Ｑは、除電装置４６Ｐの応用例である。
【０１２０】
本応用例において、４つの作像装置４が、それぞれ同じ除電装置４６Ｑを備える。なお、図１１において、図１〜１０に示される構成要素と同じ構成要素は、同じ参照符号が付されている。
【０１２１】
除電装置４６Ｑは、光源４６１と、下流導光部材４６３Ｑと、第２ミラー４６４と、光分岐部材４６５Ｑと、２つの第３ミラー４６６と、上流導光部材４６７と、第４ミラー４６８と、第６ミラー４６６ａとを備える。
【０１２２】
光分岐部材４６５Ｑは、光源４６１から出射される前記除電光を導く透明な部材である。光分岐部材４６５Ｑは、幹部４６５ｄ、下流枝部４６５ｅおよび上流枝部４６５ｆを有する。
【０１２３】
幹部４６５ｄは、光源４６１から出射された前記除電光が入射する部分である。下流枝部４６５ｅは、幹部４６５ｄから感光体４１におけるドラム回転方向Ｒ０の下流側へ分岐した部分である。上流枝部４６５ｆは、幹部４６５ｄから感光体４１におけるドラム回転方向Ｒ０の上流側へ分岐した部分である。
【０１２４】
下流枝部４６５ｅの末端４６５ｇの面は、感光体４１に対してドラム回転方向Ｒ０の下流側の位置に対向している。同様に、上流枝部４６５ｆの末端４６５ｉの面は、感光体４１に対してドラム回転方向Ｒ０の上流側の位置に対向している。
【０１２５】
幹部４６５ｄに入射した前記除電光の一部は下流枝部４６５ｅへ伝搬し、他の一部は上流枝部４６５ｆへ伝搬する。即ち、幹部４６５ｄに入射した前記除電光は、下流枝部４６５ｅと上流枝部４６５ｆとに２分岐する。
【０１２６】
２分岐した前記除電光の一方は、下流枝部４６５ｅから下流導光部材４６３Ｑへ入射し、他方は上流枝部４６５ｆから上流導光部材４６７へ入射する。
【０１２７】
例えば、断面三角形状の凹部４６５ｋが、幹部４６５ｄにおける前記除電光の入射面の反対側の面に形成されている。また、第６ミラー４６６ａが、凹部４６５ｋの内面を成す２つの平面に沿って配置されている。
【０１２８】
また、第６ミラー４６６ａが、凹部４６５ｋの内面を成す２つの平面に貼り付けられたシート状のミラーであることが考えられる。
【０１２９】
凹部４６５ｋが形成する２つの傾斜した界面の一方が、前記除電光を下流枝部４６５ｅへ反射し、他方が前記除電光を上流枝部４６５ｆへ反射する。
【０１３０】
図１１に示される例では、凹部４６５ｋが、幹部４６５ｄに入射する前記除電光の光軸に対してドラム回転方向Ｒ０の上流側へシフトした位置に形成されている。この場合、下流枝部４６５ｅへ分岐する前記除電光の光量が、上流枝部４６５ｆへ分岐する前記除電光の光量よりも大きくなる。
【０１３１】
下流枝部４６５ｅにおける幹部４６５ｄに連なる部分から中間の下流側コーナー部４６５ｈまでは第１方向Ｄ１に沿って形成されており、下流側コーナー部４６５ｈから末端４６５ｇまでの部分は、第２方向Ｄ２に沿って形成されている。
【０１３２】
同様に、上流枝部４６５ｆにおける幹部４６５ｄに連なる部分から中間の上流側コーナー部４６５ｊまでは第１方向Ｄ１に沿って形成されており、上流側コーナー部４６５ｊから末端４６５ｉまでの部分は、第２方向Ｄ２に沿って形成されている。
【０１３３】
２つの第３ミラー４６６は、光分岐部材４６５Ｑにおける下流側コーナー部４６５ｈおよび上流側コーナー部４６５ｊの外側の面に対向して配置されている。２つの第３ミラー４６６は、前記除電光が下流側コーナー部４６５ｈおよび上流側コーナー部４６５ｊから光分岐部材４６５Ｑの外へ漏れることを防ぐ。
【０１３４】
例えば、２つの第３ミラー４６６が、シート状のミラーであることが考えられる。この場合、２つの第３ミラー４６６は、下流側コーナー部４６５ｈおよび上流側コーナー部４６５ｊの外側の面に貼り付けられている。
【０１３５】
下流導光部材４６３Ｑは、第２方向Ｄ２に沿う棒状の透明な部材である。下流導光部材４６３Ｑは、感光体４１に対しドラム回転方向Ｒ０の下流側における下流枝部４６５ｅの延長線上の位置に配置されている。
【０１３６】
下流導光部材４６３Ｑの一方の端面は、下流枝部４６５ｅの末端４６５ｇと面接触している。
【０１３７】
第２ミラー４６４は、下流導光部材４６３Ｑにおける下流枝部４６５ｅに対し反対の端面に対向して配置されている。例えば、第２ミラー４６４は、下流導光部材４６３における下流枝部４６５ｅに対し反対の端面に貼り付けられたシート状のミラーである。
【０１３８】
下流枝部４６５ｅ内を通過した前記除電光は、下流導光部材４６３Ｑ内を第２方向Ｄ２に沿って進行する。第２ミラー４６４は、前記除電光が下流導光部材４６３Ｑの端面から漏れることを防ぐ。
【０１３９】
下流導光部材４６３Ｑは、第２方向Ｄ２に沿って内部を進行する前記除電光を転写後領域４１ａへ向けて反射する下流反射部４６３ｈを有する。下流反射部４６３ｈは、図５，８に示される上流反射部４６７ａと同様の構造を有する。
【０１４０】
但し、下流反射部４６３ｈは、下流導光部材４６３Ｑにおけるドラム回転方向Ｒ０の下流側の面、即ち、下流導光部材４６３Ｑにおける第１方向Ｄ１の下流側の面に形成されている。
【０１４１】
下流導光部材４６３Ｑは、図８に示される上流導光部材４６７と同じ部材であり、上流導光部材４６７とは異なる向きで配置される。即ち、下流導光部材４６３Ｑおよび上流導光部材４６７は、共用部品である。
【０１４２】
除電装置４６Ｑの上流導光部材４６７は、第１除電装置４６ａの上流導光部材４６７と同じ部材である（図３，８参照）。即ち、上流導光部材４６７は、図８に示されるように上流反射部４６７ａを有する。
【０１４３】
除電装置４６Ｑの上流導光部材４６７は、感光体４１に対しドラム回転方向Ｒ０の上流側における上流枝部４６５ｆの延長線上の位置に配置されている。上流導光部材４６７の一方の端面は、上流枝部４６５ｆの末端４６５ｉと面接触している。
【０１４４】
第４ミラー４６８は、上流導光部材４６７における上流枝部４６５ｆに対し反対の端面に対向して配置されている。例えば、第４ミラー４６８は、上流導光部材４６７における上流枝部４６５ｆに対し反対の端面に貼り付けられたシート状のミラーである。
【０１４５】
上流枝部４６５ｆ内を通過した前記除電光は、上流導光部材４６７内を第２方向Ｄ２に沿って進行する。第４ミラー４６８は、前記除電光が上流導光部材４６７の端面から漏れることを防ぐ。
【０１４６】
本応用例において、下流導光部材４６３Ｑ、第２ミラー４６４、光分岐部材４６５Ｑ、２つの第３ミラー４６６、上流導光部材４６７、第４ミラー４６８および第６ミラー４６６ａは、前記分岐導光器の一例である。除電装置４６Ｑが採用される場合も、除電装置４６が採用される場合と同様の効果が得られる。
【０１４７】
[第３応用例]
次に、図１２を参照しつつ、画像形成装置１０に適用可能な第３応用例に係る除電装置４６Ｒについて説明する。除電装置４６Ｒは、図３〜図９に示される除電装置４６の応用例である。
【０１４８】
除電装置４６Ｒは、除電装置４６の第１除電装置４６ａにおける下流導光部材４６３の光分配部４６３ｂが、第１下流反射部４６３ｄおよび第２下流反射部４６３ｅに置き換えられた構成を備える。
【０１４９】
除電装置４６Ｒにおいて、下流導光部材４６３の下流対向部４６３ｙは、第１下流反射部４６３ｄおよび第２下流反射部４６３ｅを有する。第１下流反射部４６３ｄおよび第２下流反射部４６３ｅは、第２方向Ｄ２に沿って下流対向部４６３ｙの内部を進行する前記除電光を感光体４１の転写後領域４１ａへ向かう方向と第１方向Ｄ１の下流側とへ反射する。
【０１５０】
具体的には、第１下流反射部４６３ｄは、第２方向Ｄ２に沿って下流対向部４６３ｙの内部を進行する前記除電光を感光体４１の転写後領域４１ａへ向かう方向へ反射する。
【０１５１】
また、第２下流反射部４６３ｅは、第２方向Ｄ２に沿って下流対向部４６３ｙの内部を進行する前記除電光を第１方向Ｄ１の下流側へ反射する。
【０１５２】
第１下流反射部４６３ｄおよび第２下流反射部４６３ｅも、分岐反射部４６３ａと同様に、第２方向Ｄ２において間隔を空けて並ぶ複数の凹部４６０が形成された部分である（図５参照）。
【０１５３】
第１下流反射部４６３ｄおよび第２下流反射部４６３ｅにおける複数の凹部４６０の形状は、第１下流反射部４６３ｄおよび第２下流反射部４６３ｅを透過する前記除電光の割合がより小さくなるように設計される。
【０１５４】
図１２に示されるように、第１下流反射部４６３ｄは、下流対向部４６３ｙの外周面における第１方向Ｄ１の下流側の範囲に形成されている。一方、第２下流反射部４６３ｅは、下流対向部４６３ｙの外周面における第１方向Ｄ１の上流側の範囲に形成されている。
【０１５５】
図１２に示されるように、第１下流反射部４６３ｄで反射した前記除電光は、下流対向部４６３ｙの外周面における第１下流反射部４６３ｄの反対側の上流側湾曲面４６３ｇから放射される。
【０１５６】
上流側湾曲面４６３ｇから放射された前記除電光は、対応する感光体４１の転写後領域４１ａに照射される（図２，３参照）。即ち、第１下流反射部４６３ｄが第１方向Ｄ１の上流側へ反射した前記除電光は、対応する感光体４１の転写後領域４１ａに照射される。
【０１５７】
一方、図１２に示されるように、第２下流反射部４６３ｅで反射した前記除電光は、下流対向部４６３ｙの外周面における第２下流反射部４６３ｅの反対側の下流側湾曲面４６３ｆから放射される。
【０１５８】
下流側湾曲面４６３ｆから放射された前記除電光は、第１方向Ｄ１の下流側の隣の感光体４１の転写前領域４１ｂに照射される（図２，３参照）。即ち、第２下流反射部４６３ｅが第１方向Ｄ１の下流側へ反射した前記除電光は、隣の感光体４１の転写前領域４１ｂに照射される。
【０１５９】
除電装置４６Ｒが採用される場合も、除電装置４６が採用される場合と同様の効果が得られる。
【０１６０】
[その他の応用例]
図３に示される第１除電装置４６ａおよび図１０に示される除電装置４６Ｐにおいて、中継導光部材４６５および上流導光部材４６７が、１つの部材で形成されていることも考えられる。
【０１６１】
また、除電装置４６Ｐまたは除電装置４６Ｑが、ブラックトナー用の１つの作像装置４を備えるモノクロの画像形成装置に適用されてもよい。この場合、一次転写装置４４ｂが、感光体４１上の前記トナー像を被転写材の一例であるシートに転写する。
【符号の説明】
【０１６２】
１        ：本体
２        ：シート供給機構
３        ：シート搬送機構
４        ：作像装置
８        ：制御装置
１０      ：画像形成装置
３０      ：搬送路
４０      ：画像形成部
４１      ：感光体
４１ａ    ：転写後領域
４１ｂ    ：転写前領域
４２      ：帯電装置
４３      ：現像装置
４４      ：転写装置
４４ａ    ：中間転写ベルト
４４ｂ    ：一次転写装置
４４ｃ    ：二次転写装置
４４ｄ    ：ベルトクリーニング装置
４５      ：感光体クリーニング装置
４６      ：除電装置
４６Ｐ    ：除電装置
４６Ｑ    ：除電装置
４６ａ    ：第１除電装置
４６ｂ    ：第２除電装置
４７      ：光走査装置
４８      ：定着装置
４５０    ：ハウジング
４６０    ：凹部
４６１    ：光源
４６２    ：第１ミラー
４６３    ：下流導光部材
４６３Ｐ  ：下流導光部材
４６３Ｑ  ：下流導光部材
４６３ａ  ：分岐反射部
４６３ｂ  ：光分配部
４６３ｃ  ：分岐面
４６３ｄ  ：第１下流反射部
４６３ｅ  ：第２下流反射部
４６３ｆ  ：下流側湾曲面
４６３ｇ  ：上流側湾曲面
４６３ｈ  ：下流反射部
４６３ｘ  ：基部
４６３ｙ  ：下流対向部
４６４    ：第２ミラー
４６５    ：中継導光部材
４６５Ｑ  ：光分岐部材
４６５ａ  ：中継導光部材の基端
４６５ｂ  ：中継導光部材の末端
４６５ｃ  ：中継導光部材のコーナー部
４６５ｄ  ：幹部
４６５ｅ  ：下流枝部
４６５ｆ  ：上流枝部
４６５ｇ  ：下流枝部の末端
４６５ｈ  ：下流側コーナー部
４６５ｉ  ：上流枝部の末端
４６５ｊ  ：上流側コーナー部
４６５ｋ  ：凹部
４６６    ：第３ミラー
４６６ａ  ：第６ミラー
４６７    ：上流導光部材
４６７ａ  ：上流反射部
４６７ｂ  ：下流側湾曲面
４６８    ：第４ミラー
４６９    ：第５ミラー
４６００  ：支持部材
４６１０  ：電子基板
Ｄ１      ：第１方向（既定移動方向）
Ｄ２      ：第２方向（軸方向）
Ｐ０      ：転写位置
Ｒ０      ：ドラム回転方向（既定回転方向）
【図１】
2019159002.tif 000003
【図２】
2019159002.tif 000004
【図３】
2019159002.tif 000005
【図４】
2019159002.tif 000006
【図５】
2019159002.tif 000007
【図６】
2019159002.tif 000008
【図７】
2019159002.tif 000009
【図８】
2019159002.tif 000010
【図９】
2019159002.tif 000011
【図１０】
2019159002.tif 000012
【図１１】
2019159002.tif 000013
【図１２】
2019159002.tif 000014